(57)【要約】【課題】環境負荷が少なく、かつ画像品質（画像濃度及び細線再現性等）を向上させることができるインクジェット記録用インクを提供すること。【解決手段】  水、水溶性有機溶剤、着色剤、下記一般式（１）で表される化合物、及び、１，２，３−ベンゾトリアゾールを含有することを特徴とするインクジェット記録用インク。    Ｃ６Ｆ１３−ＣＨ２ＣＨ２Ｏ（ＣＨ２ＣＨ２Ｏ）ｎＨ          一般式（１）    ただし、前記一般式（１）中、ｎは５〜３５の自然数である。【選択図】なし【特許請求の範囲】
【請求項１】
水、水溶性有機溶剤、着色剤、下記一般式（１）で表される化合物、及び、１，２，３−ベンゾトリアゾールを含有することを特徴とするインクジェット記録用インク。
Ｃ６Ｆ１３−ＣＨ２ＣＨ２Ｏ（ＣＨ２ＣＨ２Ｏ）ｎＨ          一般式（１）
ただし、前記一般式（１）中、ｎは５〜３５の自然数である。
【請求項２】
前記インクジェット記録用インクにおける一般式（１）で表される化合物の含有量が、０．０３質量％〜２．０質量％である請求項１に記載のインクジェット記録用インク。
【請求項３】
前記インクジェット記録用インクにおける１，２，３−ベンゾトリアゾールの含有量が０．０１質量％〜０．１０質量％であることを特徴とする請求項１または２に記載のインクジェット記録用インク。
【請求項４】
請求項１〜３のいずれかに記載のインクジェット記録用インクを容器中に収容したことを特徴とするインクカートリッジ。
【請求項５】
請求項１〜３のいずれかに記載のインクジェット記録用インクに刺激を印加し、該記録用インクを飛翔させて画像を記録するインク飛翔工程を少なくとも含むことを特徴とするインクジェット記録方法。
【請求項６】
請求項１〜３のいずれかに記載のインクジェット記録用インクに刺激を印加し、該記録用インクを飛翔させて画像を記録するインク飛翔手段を少なくとも有することを特徴とするインクジェット記録装置。
【発明の詳細な説明】
【技術分野】
【０００１】
本発明は、インクジェット記録用インク、インクカートリッジ、インクジェット記録方法、及びインクジェット記録装置に関する。
【背景技術】
【０００２】
インクジェット記録用インクに着色剤として顔料を用いた場合、通常の炭化水素系界面活性剤を使用すると、画像ベタ部の均一性、カラーの発色性などにおいて染料インクと同等レベルを達成することが困難である。このため、界面活性剤としてフッ素系界面活性剤を用いることで、インクの表面張力を下げ、画像ベタ部の均一性を上げ、発色改善を図ることができることが既に知られている。
【０００３】
しかしながら、今までのフッ素系界面活性剤は、高品位な画像を形成することができるものの環境負荷があったり、環境負荷は少ないものの高品位な画質が得られず、環境負荷の低減と画像品質の向上との両立が難しいという問題がある。
例えば、普通紙に高品位な画像形成を行う目的で、特定のフッ素系界面活性剤と抑泡剤を添加したインクジェット記録用インクが提案されている（特許文献１参照）。
【０００４】
しかしながら、この提案の技術は、環境負荷の低減は可能であるが、高品位な画像形成（高発色性）の点では効果が十分ではなく、環境負荷の低減と画像品質の向上とを両立させることは困難であるのが現状である。
【０００５】
一方、ベンゾトリアゾール系化合物は、一般に紫外線吸収剤または防錆剤として使用されている。たとえば、特許文献２及び特許文献３などに記載されているが、ベンゾトリアゾール系化合物が画像品質に寄与する内容は見当たらない。
また、特許文献４には、１，２，３−ベンゾトリアゾールとフッ素系化合物を含むインクの構成について記載されているものの、インクジェットインク組成物としての機能には言及が無い。
【発明の概要】
【発明が解決しようとする課題】
【０００６】
本発明は、従来における前記諸問題を解決し、以下の目的を達成することを課題とする。
即ち、本発明は、環境負荷が少なく、かつ画像品質を向上させることができるインクジェット記録用インクを提供することを目的とする。
【課題を解決するための手段】
【０００７】
前記課題を解決するための手段としての本発明のインクジェット記録用インクは、下記（１）に記載する通りの構成を有する。
（１）水、水溶性有機溶剤、着色剤、下記一般式（１）で表される化合物、１，２，３−ベンゾトリアゾールを含有するインクジェット記録用インク。
Ｃ６Ｆ１３−ＣＨ２ＣＨ２Ｏ（ＣＨ２ＣＨ２Ｏ）ｎＨ          一般式（１）
ただし、前記一般式（１）中、ｎは５〜３５の自然数である。
【発明の効果】
【０００８】
本発明によると、従来における前記諸問題を解決することができ、環境負荷が少なく、画像品質（画像濃度及び細線再現性等）を向上させたインクジェット記録用インクを提供することができる。
【図面の簡単な説明】
【０００９】
【図１】本発明のインクカートリッジの一例を示す概略図である。
【図２】図１のインクカートリッジのケースも含めた概略図である。
【図３】インクジェット記録装置のインクカートリッジ装填部のカバーを開いた状態の斜視説明図である。
【図４】インクジェット記録装置の全体構成を説明する概略構成図である。
【発明を実施するための形態】
【００１０】
以下に、本発明を実施するための形態を説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における実施の形態の例を例示するものであって、この特許請求の範囲を限定するものではない。
【００１１】
（インクジェット記録用インク）
本発明のインクジェット記録用インクは、水、水溶性有機溶剤、着色剤、下記一般式（１）で表される化合物、及び１，２，３−ベンゾトリアゾールを含有し、更に必要に応じてその他の成分を含有してなる。
Ｃ６Ｆ１３−ＣＨ２ＣＨ２Ｏ（ＣＨ２ＣＨ２Ｏ）ｎＨ          一般式（１）
ただし、前記一般式（１）中、ｎは５〜３５の自然数である。
【００１２】
本発明においては、特定の構造を有する化合物（フッ素系界面活性剤）と、１，２，３−ベンゾトリアゾールとを併用することにより、環境負荷の低減と画像品質（特に高い発色性および細線再現性の向上）とを両立できるインクが提供できる。  前記一般式（１）で表される化合物をインク中に特定の割合で含有させることにより、従来のインクに比べて、着色剤が高濃度であっても表面張力が低く、普通紙の印字においては、ビヒクルが速やかに紙に浸透し、着色剤が表面に残りやすくなるという従来のインクの特徴の他に、前記一般式（１）で表される化合物を使用することで、更に着色剤の偏在がなくなり、紙面上に均一に着色剤が存在することで、均染性が格段に向上する。その結果、高画像濃度であるが、裏抜けの少ない画像が得られる。
【００１３】
さらに、１，２，３−ベンゾトリアゾールを添加することにより、顔料粒子径がより小さくなり、ベタ画像の均一性、細線の再現性などが改善される。特に前記一般式（１）の化合物と組み合わせた場合に、普通紙における文字のかすれが改善できる。
メカニズムは明らかではないが、顔料粒子径とインクの浸透速度のバランスが取れていると推測する。
【００１４】
ここで、下記一般式（２）で表されるフッ素系界面活性剤（ゾニールＦＳ−３００、ＤｕＰｏｎｔ社製）はパーフルオロアルキル基の炭素数が８であり、製造過程において、ＰＦＯＡ（パーフルオロオクタン酸）が副生物として生じる。このＰＦＯＡは発ガン性が指摘されている。
Ｃ８Ｆ１７−ＣＨ２ＣＨ２Ｏ（ＣＨ２ＣＨ２Ｏ）ｘＨ            一般式（２）
ただし、前記式中、ｘは１〜４０を表す。
これに対して、前記一般式（１）で表される化合物は、パーフルオロアルキル基の炭素数が６であるため、合成時に、ＰＦＯＡが副生物として生じないことから、環境負荷が低減される。
【００１５】
＜一般式（１）で表される化合物＞
前記一般式（１）で表される化合物は、表面張力の低下から、画像品質の向上（高発色性など）、記録媒体に濡れ性を付与することができる。
本発明においては、下記一般式（１）で表される化合物を用いる。
Ｃ６Ｆ１３−ＣＨ２ＣＨ２Ｏ（ＣＨ２ＣＨ２Ｏ）ｎＨ          一般式（１）
前記一般式（１）において、ｎは５〜３５の自然数が好ましく、６〜３０がより好ましい。
さらに好ましくは、ｎが６〜１２であるが、ｎは分布を持っていてよく、その分布において２つ以上のピークがあってもよい。
【００１６】
前記一般式（１）中のパーフルオロアルキル基Ｃ６Ｆ１３は、記録媒体への濡れ性の点から、直鎖であることが好ましい。
前記一般式（１）で表される化合物は、適宜合成したものを使用してもよいし、市販品を使用してもよい。前記市販品としては、例えば、デュポン株式会社製のＣＡＰＳＴＯＮＥ（キャップストーン、登録商標）ＦＳ−３０、ＦＳ−３４、ＦＳ−３１００などが挙げられる。
【００１７】
前記一般式（１）で表される化合物に加えて、その他の界面活性剤を組み合わせて用いることも可能である。その場合、前記一般式（１）で表される化合物とその他の界面活性剤の合計含有量に対する、前記一般式（１）で表される化合物の割合が６０質量％以上であることが好ましい。
【００１８】
前記その他の界面活性剤としては、特に制限はなく、目的に応じて適宜選択することができ、例えば、ノニオン系界面活性剤、アニオン系界面活性剤、アセチレングリコール系界面活性剤、フッ素系界面活性剤、両性界面活性剤、などが挙げられる。
前記ノニオン系界面活性剤としては、例えば、松本油脂社製マーポマーセＰＴ、などが挙げられる。
前記アニオン系界面活性剤としては、例えば、日光ケミカルズ社製ＥＣＴＤ−３ＮＥＸ、などが挙げられる。
【００１９】
前記アセチレングリコール系界面活性剤としては、例えば、エアープロダクツジャパン株式会社製のサーフィノール１０４ＰＡ、などが挙げられる。
前記フッ素系界面活性剤としては、例えば、デュポン社製のゾニールＦＳ−３００、ＦＳＮ、ＦＳＮ−１００、ＦＳＯ、ＦＳＯ−１００、ＦＳＨ、ダイキン社製のＤＳＮ−４０３Ｎ、などが挙げられる。
【００２０】
前記一般式（１）で表される化合物の含有量は、特に制限はなく、目的に応じて適宜選択することができる。その含有量は、前記インクジェット記録用インク全量に対して、０．０３質量％〜２．０質量％が好ましく、０．０４質量％〜１．５質量％がより好ましく、０．０４質量％〜０．７質量％がさらに好ましい。この数値範囲において、インクの表面張力を低下させ、ビヒクルを速やかに浸透させて、着色剤を紙面上に残存することができる。
前記含有量が０．０３質量％以上になると高発色性の効果が得られやすく、２．０質量％以下でインクの保存安定性が得られる。
【００２１】
＜ベンゾトリアゾール系化合物＞
一般的にベンゾトリアゾール系化合物は、紫外線吸収剤もしくは防錆剤として使用される。ベンゾトリアゾール系化合物としては、例えば、２−（２’−ヒドロキシ−５’−ｔｅｒｔ−オクチルフェニル）ベンゾトリアゾール、２−（２’−ヒドロキシ−５’−メチルフェニル）ベンゾトリアゾール、２−（２’−ヒドロキシ−４’−オクトキシフェニル）ベンゾトリアゾール、２−（２’−ヒドロキシ−３’−ｔｅｒｔ−ブチル−５’−メチルフェニル）−５−クロロベンゾトリアゾール、などが挙げられる。
市販品としては、城北化学工業製ベンゾトリアゾール系化合物（ＢＴ−１２０、ＪＦ−８３，ＪＦ−７９，ＣＢＴ−１，ＪＣＬ−４００）、などがあげられる。
【００２２】
本発明においては、１，２，３−ベンゾトリアゾールの添加により、紫外線吸収剤及び防錆剤としての効果以外にも、特異な効果が得られることを見出した。
インクジェット記録用インクにおける１，２，３−ベンゾトリアゾールの含有量は０．０１質量％から０．１０質量％が好ましい。さらに好ましくは、０．０３質量％から０．０６質量％である。
含有量が０．０１質量％以上で効果が顕著になり、含有量が０．１０質量％までの間で顔料粒子の分散が安定になり、顔料の凝集などが予防される。
【００２３】
＜シリコーン消泡剤＞
本発明においては、消泡剤を添加しても良い。消泡剤としては、シリコーン消泡剤が好ましい。シリコーン消泡剤は、消泡性の向上、充填時もしくは、吐出時に泡の発生を抑えることができ、また発生した泡を速やかに消すことができる。
前記シリコーン消泡剤としては、例えば、オイル型シリコーン消泡剤、コンパウンド型シリコーン消泡剤、自己乳化型シリコーン消泡剤、エマルジョン型シリコーン消泡剤、変性シリコーン消泡剤、などが挙げられる。
【００２４】
前記変性シリコーン消泡剤としては、例えば、アミノ変性シリコーン消泡剤、カルビノール変性シリコーン消泡剤、メタクリル変性シリコーン消泡剤、ポリエーテル変性シリコーン消泡剤、アルキル変性シリコーン消泡剤、高級脂肪酸エステル変性シリコーン消泡剤、アルキレンオキサイド変性シリコーン消泡剤、などが挙げられる。これらの中でも、水系媒体であるインクジェット記録用インクへの使用を考慮すると、前記自己乳化型シリコーン消泡剤、前記エマルジョン型シリコーン消泡剤などが好ましい。
【００２５】
前記消泡剤としては、市販品を使用してもよい。該市販品としては、信越化学工業株式会社製のシリコーン消泡剤（ＫＳ５０８、ＫＳ５３１、ＫＭ７２、ＫＭ７２Ｆ、ＫＭ８５、ＫＭ９８等）、東レ・ダウ・コーニング株式会社製のシリコーン消泡剤（Ｑ２−３１８３Ａ、ＳＨ５５００、ＳＨ５５１０、ＳＭ５５７１、ＳＭ５５７１  ＥＭＵＬＳＩＯＮ等）、日本ユニカー株式会社製のシリコーン消泡剤（ＳＡＧ３０等）、旭電化工業株式会社製の消泡剤（アデカネートシリーズ等）、などが挙げられる。
【００２６】
前記シリコーン消泡剤の前記インクジェット記録用インクにおける含有量は、特に制限はなく、目的に応じて適宜選択することができるが、０．０２質量％〜０．６０質量％が好ましく、０．０７５質量％〜０．１５質量％がより好ましい。前記含有量は、０．０２質量％以上で消泡効果が得られやすくなり、０．６０質量％を超えない場合に、シリコーン粒子がノズルに付着して吐出曲がりや不吐出を抑止しやすく、消泡剤がフィルタに詰まることでインク供給の妨げになることを予防できる。
【００２７】
＜水＞
前記水としては、特に制限はなく、目的に応じて適宜選択することができ、例えば、イオン交換水、限外濾過水、逆浸透水、蒸留水等の純水、又は超純水などが挙げられる。これらは、１種単独で使用してもよいし、２種以上を併用してもよい。
【００２８】
＜水溶性有機溶剤＞
前記水溶性有機溶剤は、乾燥防止及び分散安定性を向上させるためにインク中に含有される。
前記水溶性有機溶剤としては、特に制限はなく、目的に応じて適宜選択することができ、例えば多価アルコール類、多価アルコールアルキルエーテル類、多価アルコールアリールエーテル類、含窒素複素環化合物、アミド類、アミン類、含硫黄化合物類、プロピレンカーボネート、炭酸エチレン、その他の有機溶剤、などが挙げられる。これらは、１種単独で使用してもよいし、２種以上を併用してもよい。なお、前記水溶性有機溶剤を湿潤剤と称することもある。
【００２９】
前記多価アルコール類としては、例えば、グリセリン、ジエチレングリコール、１，３−ブタンジオール、３−メチル−１，３−ブタンジオール、３−メチル−１，５−ペンタンジオール、トリエチレングリコール、プロピレングリコール、ジプロピレングリコール、トリメチロールエタン、トリメチロールプロパン、エチレングリコール、トリプロピレングリコール、テトラエチレングリコール、ヘキシレングリコール、ポリエチレングリコール、ポリプロピレングリコール、１，５−ペンタンジオール、１，６−ヘキサンジオール、１，２，６−ヘキサントリオール、１，２，４−ブタントリオール、１，２，３−ブタントリオール、ペトリオール、などが挙げられる。
【００３０】
前記多価アルコールアルキルエーテル類としては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル、などが挙げられる。
前記多価アルコールアリールエーテル類としては、例えば、エチレングリコールモノフェニルエーテル、エチレングリコールモノベンジルエーテル、などが挙げられる。
【００３１】
前記含窒素複素環化合物としては、例えば、２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン、などが挙げられる。
前記アミド類としては、例えば、ホルムアミド、Ｎ−メチルホルムアミド、Ｎ，Ｎ−ジメチルホルムアミド、などが挙げられる。
【００３２】
前記アミン類としては、例えば、モノエタノールアミン、ジエタノールアミン、トリエタノールアミン、モノエチルアミン、ジエチルアミン、トリエチルアミン、などが挙げられる。
前記含硫黄化合物類としては、例えば、ジメチルスルホキシド、スルホラン、チオジエタノール、などが挙げられる。
【００３３】
＜その他の成分＞
その他の成分としては、例えば、糖類、などが挙げられる。前記糖類としては、例えば、単糖類、二糖類、オリゴ糖類（三糖類、四糖類を含む）、多糖類、などが挙げられる。
前記単糖類、二糖類、オリゴ糖類（三糖類、四糖類を含む）としては、例えば、グルコース、マンノース、フルクトース、リボース、キシロース、アラビノース、ガラクトース、マルトース、セロビオース、ラクトース、スクロース、トレハロース、マルトトリオース、などが挙げられる。
前記多糖類とは、広義の糖を意味し、α−シクロデキストリン、セルロース、などが挙げられる。
前記糖類の誘導体としては、前記糖類の還元糖〔例えば、一般式：ＨＯＣＨ２（ＣＨＯＨ）ｎＣＨ２ＯＨ（ｎ＝２〜５の整数）で表される糖アルコール等〕、酸化糖（例えば、アルドン酸、ウロン酸等）、アミノ酸、チオ酸、などが挙げられる。これらの中でも、糖アルコールが特に好ましい。
前記糖アルコールとしては、例えば、マルチトール、ソルビトール、キシリトール、などが挙げられる。
【００３４】
前記水溶性有機溶剤の中でも、インクの保存安定性及び吐出安定性の点から、グリセリン、ヘキシレングリコール、ジエチレングリコール、トリエチレングリコール、プロピレングリコール、ジプロピレングリコール、１，３−ブタンジオール、２−エチル−１，３−ヘキサンジオール、３−メチル−１，３−ブタンジオール、３−メチル−１，５−ペンタンジオール、１，５−ペンタンジオール、１，６−ヘキサンジオール、トリメチロールプロパン、テトラメチロールプロパン、Ｄ−ソルビトール、キシリトール、２−ピロリドンが好ましく、１，３−ブタンジオール、グリセリン、２−エチル−１，３−ヘキサンジオール、３−メチル−１，３−ブタンジオール、ヘキシレングリコール、３−メチル−１，５−ペンタンジオール、２−ピロリドン、１，５−ペンタンジオール、１，６−ヘキサンジオールがより好ましい。
【００３５】
前記水溶性有機溶剤の前記インクジェット記録用インクにおける含有量は、特に制限はなく、目的に応じて適宜選択することができるが、１０質量％〜５０質量％が好ましく、１５質量％〜４０質量％がより好ましい。前記好ましい数値範囲内であれば、インクの乾燥性、保存安定性、信頼性などの結果が非常に良好である。
顔料インクの場合、顔料と水溶性有機溶剤の比は、ヘッドからのインクの吐出安定性に大きく影響する。顔料固形分比率が高いのに水溶性有機溶剤の配合量が少ないと、ノズルのインクメニスカス付近の水分蒸発が進み吐出不良をもたらす。
【００３６】
＜着色剤＞
前記着色剤としては、染料や顔料を用いることができるが、インク記録物の耐水性や耐光性の点から顔料が好ましい。前記顔料の種類としては、特に制限はなく、目的に応じて適宜選択することができ、有機顔料、無機顔料、などが挙げられる。これらの顔料は１種を単独で用いても複数種類を混合して用いてもよい。
前記有機顔料としては、例えば、アゾ系、フタロシアニン系、アントラキノン系、ジオキサジン系、インジゴ系、チオインジゴ系、ペリレン系、イソインドレノン系、アニリンブラック、アゾメチン系、ローダミンＢレーキ顔料、などが挙げられる。
前記無機顔料としては、例えば、カーボンブラック、酸化鉄、酸化チタン、炭酸カルシウム、硫酸バリウム、水酸化アルミニウム、バリウムイエロー、紺青、カドミウムレッド、クロムイエロー、金属粉、などが挙げられる。
【００３７】
前記ブラック顔料としては、例えば、ファーネスブラック、ランプブラック、アセチレンブラック、チャンネルブラック等のカーボンブラック（Ｃ．Ｉ．ピグメントブラック７）類、銅酸化物、鉄酸化物（Ｃ．Ｉ．ピグメントブラック１１）、酸化チタン等の金属類、アニリンブラック（Ｃ．Ｉ．ピグメントブラック１）等の有機顔料が挙げられる。
イエロー顔料の具体例としては、例えば、Ｃ．Ｉ．ピグメントイエロー１（ファストイエローＧ）、２、３、１２（ジスアゾイエローＡＡＡ）、１３、１４、１６、１７、２０、２３、２４、３４、３５、３７、４２（黄色酸化鉄）、５３、５５、７３、７４、７５、８１、８３（ジスアゾイエローＨＲ）、８６、９３、９５、９７、９８、１００、１０１、１０４、１０８、１０９、１１０、１１４、１１７、１２０、１２５、１２８、１２９、１３７、１３８、１３９、１４７、１４８、１５０、１５１、１５３、１５４、１５５、１６６、１６８、１８０、１８５などが挙げられる。
【００３８】
マゼンタ顔料としては、例えば、Ｃ．Ｉ．ピグメントバイオレット１９、Ｃ．Ｉ．ピグメントレッド１、２、３、５、７、９、１２、１７、２２（ブリリアントファーストスカーレット）、２３、３１、３８、４８：１〔パーマネントレッド２Ｂ（Ｂａ）〕、４８：２〔パーマネントレッド２Ｂ（Ｃａ）〕、４８：３〔パーマネントレッド２Ｂ（Ｓｒ）〕、４８：４〔パーマネントレッド２Ｂ（Ｍｎ）〕、４９：１、５２：２、５３：１、５７：１（ブリリアントカーミン６Ｂ）、６０：１、６３：１、６３：２、６４：１、８１（ローダミン６Ｇレーキ）、８３、８８、９２、９７、１０１（べんがら）、１０４、１０５、１０６、１０８（カドミウムレッド）、１１２、１１４、１２２（ジメチルキナクリドン）、１２３、１４６、１４９、１６６、１６８、１７０、１７２、１７５、１７６、１７８、１７９、１８０、１８４、１８５、１９０、１９２、１９３、２０２、２０９、２１５、２１６、２１７、２１９、２２０、２２３、２２６、２２７、２２８、２３８、２４０、２５４、２５５、２７２、などが挙げられる。
【００３９】
シアン顔料としては、例えば、Ｃ．Ｉ．ピグメントブルー１、２、３、１５（銅フタロシアニンブルーＲ）、１５：１、１５：２、１５：３（フタロシアニンブルーＧ）、１５：４、１５：６（フタロシアニンブルーＥ）、１６、１７：１、２２、５６、６０、６３、６４、バットブルー４、バットブルー６０、などが挙げられる。
また、中間色顔料の具体例としては、レッド、グリーン、ブルー用としてＣ．Ｉ．ピグメントレッド１７７、１９４、２２４、Ｃ．Ｉ．ピグメントオレンジ１６、３６、４３、５１、５５、５９、６１、７１、Ｃ．Ｉ．ピグメントバイオレット３、１９、２３、２９、３０、３７、４０、５０、Ｃ．Ｉ．ピグメントグリーン７、３６、などが挙げられる。
【００４０】
前記着色剤の前記インクジェット記録用インクにおける含有量は、特に制限はなく、目的に応じて適宜選択することができるが、２質量％〜１５質量％が好ましい。
【００４１】
＜その他の成分＞
前記その他の成分としては、例えば、ｐＨ調整剤、防腐防黴剤、キレート試薬、防錆剤、酸化防止剤、紫外線吸収剤、酸素吸収剤、光安定化剤等のその他の成分を含有してなる。
【００４２】
−ｐＨ調整剤−
前記ｐＨ調整剤としては、インクジェット記録用インクの性能に悪影響を及ぼさずにｐＨを調整できるものであれば特に制限はなく、目的に応じて適宜選択することができ、前記オゾン酸化カーボンブラック分散液の塩基性化合物と同様のものを用いることができる。これらの中でも、アミノプロパンジオール化合物が特に好ましい。
【００４３】
−防腐防黴剤−
前記防腐防黴剤としては、例えば、デヒドロ酢酸ナトリウム、ソルビン酸ナトリウム、２−ピリジンチオール−１−オキサイドナトリウム、安息香酸ナトリウム、ペンタクロロフェノールナトリウム、などが挙げられる。
【００４４】
−キレート試薬−
前記キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム、などが挙げられる。
【００４５】
−防錆剤−
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト、などが挙げられる。
【００４６】
−酸化防止剤−
前記酸化防止剤としては、例えば、フェノール系酸化防止剤（ヒンダードフェノール系酸化防止剤を含む）、アミン系酸化防止剤、硫黄系酸化防止剤、リン系酸化防止剤、などが挙げられる。
【００４７】
前記フェノール系酸化防止剤（ヒンダードフェノール系酸化防止剤を含む）としては、例えば、ブチル化ヒドロキシアニソール、２，６−ジ−ｔｅｒｔ−ブチル−４−エチルフェノール、ステアリル−β−（３，５−ジ−ｔｅｒｔ−ブチル−４−ヒドロキシフェニル）プロピオネート、２，２’−メチレンビス（４−メチル−６−ｔｅｒｔ−ブチルフェノール）、２，２’−メチレンビス（４−エチル−６−ｔｅｒｔ−ブチルフェノール）、４，４’−ブチリデンビス（３−メチル−６−ｔｅｒｔ−ブチルフェノール）、３，９−ビス［１，１−ジメチル−２−［β−（３−ｔｅｒｔ−ブチル−４−ヒドロキシ−５−メチルフェニル）プロピオニルオキシ］エチル］−２，４，８，１０−テトライキサスピロ［５，５］ウンデカン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス［メチレン−３−（３’，５’−ジ−ｔｅｒｔ−ブチル−４’−ヒドロキシフェニル）プロピオネート］メタン、などが挙げられる。
【００４８】
前記アミン系酸化防止剤としては、例えば、フェニル−β−ナフチルアミン、α−ナフチルアミン、Ｎ，Ｎ’−ジ−ｓｅｃ−ブチル−ｐ−フェニレンジアミン、フェノチアジン、Ｎ，Ｎ’−ジフェニル−ｐ−フェニレンジアミン、２，６−ジ−ｔｅｒｔ−ブチル−ｐ−クレゾール、２，６−ジ−ｔｅｒｔ−ブチルフェノール、２，４−ジメチル−６−ｔｅｒｔ−ブチル−フェノール、ブチルヒドロキシアニソール、２，２’−メチレンビス（４−メチル−６−ｔｅｒｔ−ブチルフェノール）、４，４’−ブチリデンビス（３−メチル−６−ｔｅｒｔ−ブチルフェノール）、４，４’−チオビス（３−メチル−６−ｔｅｒｔ
−ブチルフェノール）、テトラキス［メチレン−３（３，５−ジ−ｔｅｒｔ−ブチル−４−ジヒドロキフェニル）プロピオネート］メタン、１，１，３−トリス（２−メチル−４−ヒドロキシ−５−ｔｅｒｔ−ブチルフェニル）ブタン、などが挙げられる。
【００４９】
前記硫黄系酸化防止剤としては、例えば、ジラウリル−３，３’−チオジプロピオネート、ジステアリルチオジプロピオネート、ラウリルステアリルチオジプロピオネート、ジミリスチル−３，３’−チオジプロピオネート、ジステアリル−β，β’−チオジプロピオネート、２−メルカプトベンゾイミダゾール、ジラウリルサルファイド、などが挙げられる。
【００５０】
前記リン系酸化防止剤としては、例えば、トリフェニルフォスファイト、オクタデシルフォスファイト、トリイソデシルフォスファイト、トリラウリルトリチオフォスファイト、トリノニルフェニルフォスファイト、などが挙げられる。
【００５１】
−紫外線吸収剤−
前記紫外線吸収剤としては、例えば、ベンゾフェノン系紫外線吸収剤、サリチレート系紫外線吸収剤、シアノアクリレート系紫外線吸収剤、ニッケル錯塩系紫外線吸収剤、などが挙げられる。
【００５２】
前記ベンゾフェノン系紫外線吸収剤としては、例えば、２−ヒドロキシ−４−ｎ−オクトキシベンゾフェノン、２−ヒドロキシ−４−ｎ−ドデシルオキシベンゾフェノン、２，４−ジヒドロキシベンゾフェノン、２−ヒドロキシ−４−メトキシベンゾフェノン、２，２’，４，４’−テトラヒドロキシベンゾフェノン、などが挙げられる。
【００５３】
前記サリチレート系紫外線吸収剤としては、例えば、フェニルサリチレート、ｐ−ｔｅｒｔ−ブチルフェニルサリチレート、ｐ−オクチルフェニルサリチレート、などが挙げられる。
【００５４】
前記シアノアクリレート系紫外線吸収剤としては、例えば、エチル−２−シアノ−３，３’−ジフェニルアクリレート、メチル−２−シアノ−３−メチル−３−（ｐ−メトキシフェニル）アクリレート、ブチル−２−シアノ−３−メチル−３−（ｐ−メトキシフェニル）アクリレート、などが挙げられる。
【００５５】
前記ニッケル錯塩系紫外線吸収剤としては、例えば、ニッケルビス（オクチルフェニル）サルファイド、２，２’−チオビス（４−ｔｅｒｔ−オクチルフェレート）−ｎ−ブチルアミンニッケル（ＩＩ）、２，２’−チオビス（４−ｔｅｒｔ−オクチルフェレート）−２−エチルヘキシルアミンニッケル（ＩＩ）、２，２’−チオビス（４−ｔｅｒｔ−オクチルフェレート）トリエタノールアミンニッケル（ＩＩ）、などが挙げられる。
【００５６】
本発明のインクジェット記録用インクの製造方法には、特に制限はなく、公知の製造方法を用いることができる。例えば、前記着色剤、前記一般式（１）で表される化合物、前記水、前記水溶性有機溶剤、及び前記シリコーン消泡剤、必要に応じてその他の成分を、サンドミル、ボールミル、ロールミル、ビーズミル、ナノマイザー、ホモジナイザー、超音波分散機等を用いて攪拌混合し、フィルタ、遠心分離装置などで粗大粒子をろ過し、必要に応じて脱気することによって得られる。前記攪拌混合としては、通常の攪拌羽を用いた攪拌機、マグネチックスターラー、高速の分散機、などで行うことができる。
【００５７】
本発明のインクジェット記録用インクの色としては、特に制限はなく、目的に応じて適宜選択することができ、イエロー、マゼンタ、シアン、ブラックなどが挙げられる。これらの色のインクを２種以上併用したインクセットを使用して記録を行うと、多色画像を形成することができ、全色併用したインクセットを使用して記録を行うと、フルカラー画像を形成することができる。
【００５８】
本発明のインクジェット記録用インクの物性としては、特に制限はなく、目的に応じて適宜選択することができ、例えば、表面張力、ｐＨ等が以下の範囲であることが好ましい。
前記インクジェット記録用インクの表面張力としては、２０℃で、２５ｍＮ／ｍ〜５５ｍＮ／ｍが好ましい。前記表面張力が、２５ｍＮ／ｍ以上であると、記録媒体上での滲みを防止しやすくなり、安定した噴射を得やすくなる。また、表面張力が５５ｍＮ／ｍ以下であると、記録媒体へのインク浸透により、乾燥時間を短くすることができる。
前記インクジェット記録用インクのｐＨとしては、例えば、７〜１０が好ましい。
【００５９】
本発明のインクジェット記録用インクは、各種分野において好適に使用することができ、インクジェット記録方式による画像記録装置（プリンタ等）において好適に使用することができる。例えば、印字又は印字前後に記録媒体、及び前記インクジェット記録用インクを５０℃〜２００℃で加熱し、印字定着を促進する機能を有するもののプリンタ等に使用することもでき、以下に説明する本発明のインクカートリッジ、インクジェット記録装置、インクジェット記録方法に特に好適に使用することができる。
【００６０】
（インクカートリッジ）
本発明のインクカートリッジは、本発明の前記インクジェット記録用インクを容器中に収容してなり、更に必要に応じて適宜選択したその他の部材等を有してなる。
前記容器としては、特に制限はなく、目的に応じてその形状、構造、大きさ、材質等を適宜選択することができ、例えば、アルミニウムラミネートフィルム、樹脂フィルム等で形成されたインク袋などを少なくとも有するもの、などが好適に挙げられる。
【００６１】
次に、インクカートリッジについて、図１及び図２を参照して説明する。ここで、図１は、本発明のインクカートリッジの一例を示す図であり、図２は図１のインクカートリッジのケース（外装）も含めた図である。
インクカートリッジ２００は、図１に示すように、インク注入口２４２からインク袋２４１内に充填され、排気した後、該インク注入口２４２は融着により閉じられる。使用時には、ゴム部材からなるインク排出口２４３に装置本体の針を刺して装置に供給される。
インク袋２４１は、透気性のないアルミニウムラミネートフィルム等の包装部材により形成されている。このインク袋２４１は、図２に示すように、通常、プラスチック製のカートリッジケース２４４内に収容され、各種インクジェット記録装置に着脱可能に装着して用いられるようになっている。
【００６２】
本発明のインクカートリッジは、本発明の前記インクジェット記録用インクを収容し、各種インクジェット記録装置に着脱可能に装着して用いることができるが、後述する本発明のインクジェット記録装置に着脱可能に装着して用いるのが特に好ましい。
【００６３】
（インクジェット記録装置及びインクジェット記録方法）
本発明のインクジェット記録装置は、インク飛翔手段を少なくとも有してなり、更に必要に応じて適宜選択したその他の手段、例えば、刺激発生手段、反転手段、制御手段等を有してなる。
本発明で用いられるインクジェット記録方法は、インク飛翔工程を少なくとも含み、更に必要に応じて適宜選択したその他の工程、例えば、刺激発生工程、反転工程、制御工程等を含んでなる。
本発明で用いられるインクジェット記録方法は、本発明のインクジェット記録装置により好適に実施することができ、前記インク飛翔工程は前記インク飛翔手段により好適に行うことができる。また、前記その他の工程は、前記その他の手段により好適に行うことができる。
【００６４】
＜インク飛翔工程及びインク飛翔手段＞
前記インク飛翔工程は、前記本発明のインクジェット記録用インクに、刺激を印加し、該インクジェット記録用インクを飛翔させて画像を記録する工程である。
前記インク飛翔手段は、前記本発明のインクジェット記録用インクに、刺激を印加し、該インクジェット記録用インクを飛翔させて画像を記録する手段である。前記インク飛翔手段としては、特に制限はなく、例えば、インク吐出用の各種のノズルを有する記録ヘッド、などが挙げられる。
【００６５】
本発明においては、前記記録ヘッドの液室部、流体抵抗部、振動板、及びノズル部材の少なくとも一部がシリコン及びニッケルの少なくともいずれかを含む材料から形成されていることが好ましい。
また、前記ノズルのノズル径は、３０μｍ以下が好ましく、１μｍ〜２０μｍが好ましい。
前記記録ヘッドが、インク吐出面に撥水加工処理を施したノズルプレートを有することが好ましく、該撥水加工が、ＰＴＦＥ−Ｎｉ共析加工、フッ素樹脂加工、及びシリコーン樹脂加工から選ばれるいずれかであることが好ましい。
また、前記記録ヘッドにインクジェット記録用インクを供給するためのサブタンクを有し、該サブタンクにインクカートリッジから供給チューブを介してインクジェット記録用インクが補充されるように構成することが好ましい。
【００６６】
前記飛翔させる前記インクジェット記録用インクの液滴は、その大きさとしては、例えば、３ｐｌ〜４０ｐｌが好ましく、その吐出噴射の速さとしては５ｍ／ｓ〜２０ｍ／ｓが好ましく、その駆動周波数としては１ｋＨｚ以上が好ましく、その解像度としては３００ｄｐｉ以上が好ましい。
【００６７】
＜その他の工程及びその他の手段＞
−刺激発生工程及び刺激発生手段−
前記刺激は、例えば、前記刺激発生手段により発生させることができ、該刺激としては、特に制限はなく、目的に応じて適宜選択することができ、熱（温度）、圧力、振動、光、などが挙げられる。これらは、１種単独で使用してもよいし、２種以上を併用してもよい。これらの中でも、熱、圧力が好適に挙げられる。
【００６８】
前記刺激発生手段としては、例えば、加熱装置、加圧装置、圧電素子、振動発生装置、超音波発振器、ライト、などが挙げられ、具体的には、例えば、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ、などが挙げられる。
【００６９】
前記インクジェット記録用インクの飛翔の態様としては、特に制限はなく、前記刺激の種類等応じて異なり、例えば、前記刺激が「熱」の場合、記録ヘッド内の前記インクジェット記録用インクに対し、記録信号に対応した熱エネルギーを例えばサーマルヘッド等を用いて付与し、該熱エネルギーにより前記インクジェット記録用インクに気泡を発生させ、該気泡の圧力により、前記記録ヘッドのノズル孔から該インクジェット記録用インクを液滴として吐出噴射させる方法、などが挙げられる。また、前記刺激が「圧力」の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔から該インクジェット記録用インクを液滴として吐出噴射させる方法、などが挙げられる。
【００７０】
−制御工程及び制御手段−
前記制御工程は、前記各工程の動きを制御する工程であり、前記制御手段により行うことができる。前記制御手段としては、特に制限はなく、目的に応じて適宜選択することができ、例えば、シークエンサー、コンピュータ、などが挙げられる。
【００７１】
本発明のインクジェット記録装置により本発明で用いられるインクジェット記録方法を実施する一の態様について、図面を参照しながら説明する。
図３に示すインクジェット記録装置は、装置本体１０１と、前記装置本体１０１に装着した用紙を装填するための給紙トレイ１０２と、装置本体１０１に装着され画像が記録（形成）された用紙をストックするための排紙トレイ１０３と、インクカートリッジ装填部１０４とを有する。インクカートリッジ装填部１０４の上面には、操作キーや表示器などの操作部１０５が配置されている。インクカートリッジ装填部１０４は、インクカートリッジ２００の脱着を行うための開閉可能な前カバー１１５を有している。図３中１１１は上カバー、１１２は前カバーの前面である。
【００７２】
装置本体１０１内には、図４に示すように、左右の側板（不図示）に横架したガイド部材であるガイドロッド１３１とステー１３２とで、キャリッジ１３３を主走査方向に摺動自在に保持し、主走査モータ（不図示）によって移動走査する。
キャリッジ１３３には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド１３４の複数のインク吐出口を、主走査方向と交叉する方向に配列し、インク滴吐出方向を下方に向けて装着している。
記録ヘッド１３４を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどが使用できる。
また、キャリッジ１３３には、記録ヘッド１３４に各色のインクを供給するための各色のサブタンク１３５を搭載している。サブタンク１３５には、インク供給チューブ（不図示）を介して、インクカートリッジ装填部１０４に装填された本発明のインクカートリッジ２００から、本発明のインクジェット記録用インクが供給されて補充される。
【００７３】
一方、給紙トレイ１０２の用紙積載部（圧板）１４１上に積載した用紙１４２を給紙するための給紙部として、用紙積載部１４１から用紙１４２を１枚ずつ分離給送する半月コロ〔給紙コロ１４３〕、及び給紙コロ１４３に対向し、摩擦係数の大きな材質からなる分離パッド１４４を備え、この分離パッド１４４は給紙コロ１４３側に付勢されている。
この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンタローラ１５２と、略鉛直上方に送られる用紙１４２を略９０°方向転換させて搬送ベルト１５１上に倣わせるための搬送ガイド１５３と、押さえ部材１５４で搬送ベルト１５１側に付勢された先端加圧コロ１５５とが備えられ、また、搬送ベルト１５１表面を帯電させるための帯電手段である帯電ローラ１５６が備えられている。
【００７４】
搬送ベルト１５１は無端状ベルトであり、搬送ローラ１５７とテンションローラ１５８との間に張架されて、ベルト搬送方向に周回可能である。この搬送ベルト１５１は、例えば、抵抗制御を行っていない厚み４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト１５１の裏側には、記録ヘッド１３４による印写領域に対応してガイド部材１６１が配置されている。なお、記録ヘッド１３４で記録された用紙１４２を排紙するための排紙部として、搬送ベルト１５１から用紙１４２を分離するための分離爪１７１と、排紙ローラ１７２及び排紙コロ１７３とが備えられており、排紙ローラ１７２の下方に排紙トレイ１０３が配されている。
装置本体１０１の背面部には、両面給紙ユニット１８１が着脱可能に装着されている。両面給紙ユニット１８１は、搬送ベルト１５１の逆方向回転で戻される用紙１４２を取り込んで反転させて再度、カウンタローラ１５２と搬送ベルト１５１との間に給紙する。なお、両面給紙ユニット１８１の上面には手差し給紙部１８２が設けられている。
【００７５】
このインクジェット記録装置においては、給紙部から用紙１４２が１枚ずつ分離給紙され、略鉛直上方に給紙された用紙１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。
このとき、帯電ローラ１５６によって搬送ベルト１５１が帯電されており、用紙１４２は、搬送ベルト１５１に静電吸着されて搬送される。そこで、キャリッジ１３３を移動させなが画像信号に応じて記録ヘッド１３４を駆動することにより、停止している用紙１４２にインク滴を吐出して１行分を記録し、用紙１４２を所定量搬送後、次の行の記録を行う。記録終了信号又は用紙１４２の後端が記録領域に到達した信号を受けることにより、記録動作を終了して、用紙１４２を排紙トレイ１０３に排紙する。
【００７６】
そして、サブタンク１３５内のインクの残量ニアーエンドが検知されると、インクカートリッジ２００から所要量のインクがサブタンク１３５に補給される。
このインクジェット記録装置においては、インクカートリッジ２００中のインクを使い切ったときには、インクカートリッジ２００における筐体を分解して内部のインク袋だけを交換することができる。また、インクカートリッジ２００は、縦置きで前面装填構成としても、安定したインクの供給を行うことができる。したがって、装置本体１０１の上方が塞がって設置されているような場合、例えば、ラック内に収納したり、あるいは装置本体１０１の上面に物が置かれているような場合でも、インクカートリッジ２００の交換を容易に行うことができる。
なお、ここでは、キャリッジが走査するシリアル型（シャトル型）インクジェット記録装置に適用した例で説明したが、ライン型ヘッドを備えたライン型インクジェット記録装置にも同様に適用することができる。
【００７７】
本発明のインクジェット記録装置及びインクジェット記録方法は、インクジェット記録方式による各種記録に適用することができ、例えば、インクジェット記録用プリンタ、ファクシミリ装置、複写装置、プリンタ／ファックス／コピア複合機、などに特に好適に適用することができる。
【００７８】
＜インク記録物＞
本発明で用いられるインク記録物は、記録媒体上に本発明の前記インクジェット記録用インクを用いて形成された画像を有してなる。
【００７９】
−記録媒体−
前記記録媒体としては、特に制限はなく、目的に応じて適宜選択することができ、例えば、紙等のインクジェット記録用インクに対して吸収性を有するもの、インクジェット記録用インクに対して実質的に非吸収性のもののいずれであっても好適に用いられる。
前記記録媒体としては、例えば、ポリエチレンテレフタレート、ポリカーボネート、ポリプロピレン、ポリエチレン、ポリサルフォン、ＡＢＳ樹脂、ポリ塩化ビニル等を基材とするプラスチックシート；黄銅、鉄、アルミニウム、ステンレススチール（ＳＵＳ）、銅等の金属表面又は非金属の基材に蒸着等の手法により金属コーティング処理をした記録媒体；紙を基材として撥水処理などがなされた記録媒体、無機質の材料を高温で焼成した、いわゆるセラミックス材料からなる記録媒体などが挙げられる。これらの中でも、紙が経済性の点と画像の自然さの点で好ましく、本発明においては、平滑紙及び非平滑紙のいずれも好適に用いられる。
【００８０】
前記記録媒体としての平滑紙及び非平滑紙は、平滑度を測定し、前記平滑度により、平滑紙と、非平滑紙とに分類することができる。
前記非平滑紙は、平滑度が５００秒間未満であり、表面コート等の処理を行わない普通紙である。
前記平滑紙は、表面コート処理をしたものが多く、平滑度は５００秒間以上であり、アート紙、キャストコート紙等の光沢紙が挙げられる。
前記平滑度は、例えば、紙面に中空のヘッドを置き、内部を減圧にして、ヘッドと紙面の間隙から一定量の空気が流入する時間（秒）によって平滑度を測定する王研式計測器で測定することができる。
【実施例】
【００８１】
以下に実施例に基づいて本発明をより詳細に説明するが、本発明の技術的範囲は下記実施例に何ら限定されるものではない。
また、以下の記載においては特に明記しない限り、％は質量％を示す。
【００８２】
（調製例１）
−ブラック顔料分散液の調製−
カーボンブラック（三菱化学製ＭＡ１００）９０ｇを、２．５規定の硫酸ナトリウム溶液３，０００ｍＬに添加し、温度６０℃、速度３００ｒｐｍで攪拌し、１０時間反応させて酸化処理を行った。得られた反応液を濾過し、濾別したカーボンブラックを水酸化ナトリウム溶液で中和し、限外濾過を行った。得られたカーボンブラックを水洗し、乾燥させて、顔料濃度が２０％となるように純水中に分散させた。以上により、調製例１のブラック顔料分散液を調製した。
【００８３】
（調製例２）
−イエロー顔料分散液の調製−
イエロー顔料としてＣ．Ｉ．ピグメントイエロー１２８を低温プラズマ処理しカルボン酸基を導入したイエロー顔料を作製した。これをイオン交換水に分散したものを限外濾過膜により脱塩濃縮して、顔料濃度１５％の調製例２のイエロー顔料分散液を得た。
【００８４】
（調製例３）
−マゼンタ顔料分散液の調製−
Ｃ．Ｉ．ピグメントイエロー１２８の代りにＣ．Ｉ．ピグメントレッド１２２を用いた以外は、調製例２と同様にして、表面改質されたマゼンタ顔料を作製した。これをイオン交換水に分散したものを限外濾過膜により脱塩濃縮して、顔料濃度１５％の調製例３のマゼンタ顔料分散液を得た。
【００８５】
（調製例４）
−シアン顔料分散液の調製−
Ｃ．Ｉ．ピグメントイエロー１２８の代りにＣ．Ｉ．ピグメントシアン１５：３を用いた以外は、調製例２と同様にして、表面改質されたシアン顔料を作製した。これをイオン交換水に分散したものを限外濾過膜により脱塩濃縮して、顔料濃度１５％の調製例４のシアン顔料分散液を得た。
【００８６】
（実施例１）
下記処方のインク組成物を調製し、その後、平均孔径０．８μｍのメンブレンフィルターで濾過を行い、実施例１のシアンインクを作製した。
〔インク組成〕
・調製例４のシアン顔料分散液（顔料濃度１５％）                  ２０．００％
・１，３−ブタンジオール                                        ２３．００％
・グリセリン                                                      ８．００％
・２−エチル−１，３−ヘキサンジオール                            ２．００％
・Ｃａｐｓｔｏｎｅ  ＦＳ−３１００（Ｄｕｐｏｎｔ社製）            ０．０４％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                  ０．２０％
（アビシア社製、１，２−ベンゾイソチアゾリン−３−オン、防かび剤）
・２−アミノ−２−エチル−１，３−プロパンジオール                ０．３０％
・１，２，３−ベンゾトリアゾール（城北化学工業製、ＢＴ−１２０）  ０．０５％
・イオン交換水                                        残量（合計：１００％）
【００８７】
（実施例２）
下記処方のインク組成物を常法により調製し、その後、平均孔径０．８μｍのメンブレンフィルターで濾過を行い、実施例２のシアンインクを作製した。
〔インク組成〕
・調製例４のシアン顔料分散液（顔料濃度１５％）                  ２０．００％
・３−メチル−１，３−ブタンジオール                            １０．００％
・ヘキシレングリコール                                            ４．００％
・グリセリン                                                      ８．００％
・２−エチル−１，３−ヘキサンジオール                            ２．００％
・Ｃａｐｓｔｏｎｅ  ＦＳ−３１００（Ｄｕｐｏｎｔ社製）            ０．１０％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                  ０．２０％
（アビシア社製、１，２−ベンゾイソチアゾリン−３−オン、防かび剤）      
・シリコーン消泡剤（ＫＭ−７２Ｆ、信越化学工業株式会社製）        ０．１０％
・  ２−アミノ−２−エチル−１，３−プロパンジオール              ０．５０％
・１，２，３−ベンゾトリアゾール（城北化学工業製、ＢＴ−１２０）  ０．０５％
・イオン交換水                                        残量（合計：１００％）
【００８８】
（実施例３）
下記処方のインク組成物を常法により調製し、その後、平均孔径０．８μｍのメンブレンフィルターで濾過を行い、実施例３のシアンインクを作製した。
〔インク組成〕
・調製例４のシアン顔料分散液（顔料濃度１５％）                  ２０．００％
・３−メチル−１，３−ブタンジオール                            １３．００％
・３−メチル−１，５−ペンタンジオール                          １０．５０％
・グリセリン                                                      ８．００％
・２，２，４−トリメチル−１，３−ペンタンジオール                ２．００％
・Ｃａｐｓｔｏｎｅ  ＦＳ−３１００（Ｄｕｐｏｎｔ社製）            ０．３０％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                  ０．２０％
（アビシア社製、１，２−ベンゾイソチアゾリン−３−オン、防かび剤）      
・２−アミノ−２−エチル−１，３−プロパンジオール                ０．５０％
・１，２，３−ベンゾトリアゾール（城北化学工業製、ＢＴ−１２０）  ０．０５％
・イオン交換水                                        残量（合計：１００％）
【００８９】
（実施例４）
下記処方のインク組成物を常法により調製し、その後、平均孔径０．８μｍのメンブレンフィルターで濾過を行い、実施例４のシアンインクを作製した。
〔インク組成〕
・調製例４のシアン顔料分散液（顔料濃度１５％）                  ２０．００％
・１，３−ブタンジオール                                        ２３．００％
・グリセリン                                                      ８．００％
・２−エチル−１，３−ヘキサンジオール                            ２．００％
・Ｃａｐｓｔｏｎｅ  ＦＳ−３１００（Ｄｕｐｏｎｔ社製）            １．２５％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                  ０．２０％
（アビシア社製、１，２−ベンゾイソチアゾリン−３−オン、防かび剤）      
・シリコーン消泡剤（ＳＭ５５１２、東レ・ダウ・コーニング社製）    ０．３０％
・２−アミノ−２−エチル−１，３−プロパンジオール                ０．３０％
・１，２，３−ベンゾトリアゾール（城北化学工業製、ＢＴ−１２０）  ０．０６％
・イオン交換水                                        残量（合計：１００％）
【００９０】
（実施例５）
下記処方のインク組成物を常法により調製し、その後、平均孔径０．８μｍのメンブレンフィルターで濾過を行い、実施例５のマゼンタインクを作製した。
〔インク組成〕
・調製例３のマゼンタ顔料分散液（顔料濃度１５％）              ２０．００％
・１，３−ブタンジオール                                      ２２．５０％
・グリセリン                                                    ９．００％
・２−エチル−１，３−ヘキサンジオール                          ２．００％
・Ｃａｐｓｔｏｎｅ  ＦＳ−３１００（Ｄｕｐｏｎｔ社製）          ０．０５％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                ０．２０％
（アビシア社製、１，２−ベンゾイソチアゾリン−３−オン、防かび剤）      
・シリコーン消泡剤（ＫＭ−７２Ｆ、信越化学工業株式会社製）      ０．４０％
・２−アミノ−２−エチル−１，３−プロパンジオール              ０．３０％
・１，２，３−ベンゾトリアゾール（城北化学工業製、ＢＴ−１２０）０．０３％
・イオン交換水                                        残量（合計：１００％）
【００９１】
（実施例６）
下記処方のインク組成物を常法により調製し、その後、平均孔径０．８μｍのメンブレンフィルターで濾過を行い、実施例６のマゼンタインクを作製した。
〔インク組成〕
・調製例３のマゼンタ顔料分散液（顔料濃度１５％）              ２０．００％
・３−メチル−１，３−ブタンジオール                          １１．５０％
・エチレングリコール                                            ５．００％
・グリセリン                                                    ７．００％
・２−エチル−１，３−ヘキサンジオール                          ２．００％
・Ｃａｐｓｔｏｎｅ  ＦＳ−３１００（Ｄｕｐｏｎｔ社製）          １．００％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                ０．２０％
（アビシア社製、１，２−ベンゾイソチアゾリン−３−オン、防かび剤）      
・シリコーン消泡剤（ＳＭ  ５５１２、東レ・ダウ・コーニング社製）０．０７％
・２−アミノ−２−エチル−１，３−プロパンジオール              ０．３０％
・１，２，３−ベンゾトリアゾール（城北化学工業製、ＢＴ−１２０）  ０．０６％
・イオン交換水                                        残量（合計：１００％）
【００９２】
（実施例７）
下記処方のインク組成物を常法により調製し、その後、平均孔径０．８μｍのメンブレンフィルターで濾過を行い、実施例７のマゼンタインクを作製した。
〔インク組成〕
・調製例３のマゼンタ顔料分散液（顔料濃度１５％）              ２０．００％
・３−メチル−１，５−ペンタンジオール                          ５．００％
・３−メチル−１，３−ブタンジオール                            ５．００％
・グリセリン                                                  １０．００％
・２，２，４−トリメチル−１，３−ペンタンジオール              ２．００％
・Ｃａｐｓｔｏｎｅ  ＦＳ−３１００（Ｄｕｐｏｎｔ社製）          １．５０％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                ０．２０％
（アビシア社製、１，２−ベンゾイソチアゾリン−３−オン、防かび剤）      
・シリコーン消泡剤（ＫＭ−９８、信越化学工業株式会社製）        ０．０５％
・２−アミノ−２−エチル−１，３−プロパンジオール              ０．５０％
・１，２，３−ベンゾトリアゾール（城北化学工業製、ＢＴ−１２０）０．０５％
・イオン交換水                                      残量（合計：１００％）
【００９３】
（実施例８）
下記処方のインク組成物を常法により調製し、その後、平均孔径０．８μｍのメンブレンフィルターで濾過を行い、実施例８のマゼンタインクを作製した。
〔インク組成〕
・調製例３のマゼンタ顔料分散液（顔料濃度１５％）              ２０．００％
・１，３−ブタンジオール                                      ２２．５０％
・グリセリン                                                    ９．００％
・２−エチル−１，３−ヘキサンジオール                          ２．００％
・Ｃａｐｓｔｏｎｅ  ＦＳ−３１００（Ｄｕｐｏｎｔ社製）          ０．５０％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                              ０．２０％
（アビシア社製、１，２−ベンゾイソチアゾリン−３−オン、防かび剤）      
・シリコーン消泡剤                                              ０．６０％
（ＳＭ５５７１  ＥＭＵＬＳＩＯＮ、東レ・ダウ・コーニング社製）
・２−アミノ−２−エチル−１，３−プロパンジオール              ０．３０％
・１，２，３−ベンゾトリアゾール(城北化学工業製、ＢＴ−１２０)  ０．０５％
・イオン交換水                                      残量（合計：１００％）
【００９４】
（実施例９）
下記処方のインク組成物を常法により調製し、その後、平均孔径０．８μｍのメンブレンフィルターで濾過を行い、実施例９のイエローインクを作製した。
〔インク組成〕
・調製例２のイエロー顔料分散液（顔料濃度１５％）              ２０．００％
・３−メチル−１，３−ブタンジオール                          ２０．００％
・１，３−ブタンジオール                                        ８．５０％
・グリセリン                                                    ７．５０％
・２−エチル−１，３−ヘキサンジオール                          ２．００％
・Ｃａｐｓｔｏｎｅ  ＦＳ−３１００（Ｄｕｐｏｎｔ社製）          ０．０４％
（Ｃ６Ｆ１３−ＣＨ２ＣＨ２Ｏ（ＣＨ２ＣＨ２Ｏ）ｎＨ（ｎ＝５〜３５）に相当する。）
・シリコーン消泡剤（ＫＭ−９８、信越化学工業株式会社製）        ０．５０％
・プロキセルＬＶ                                                ０．２０％
（アビシア社製、１，２−ベンゾイソチアゾリン−３−オン、防かび剤）      
・１−メチルアミノ−２，３−プロパンジオール                    ０．１０％
・１，２，３−ベンゾトリアゾール(城北化学工業製、ＢＴ−１２０)  ０．０５％
・イオン交換水                                      残量（合計：１００％）
【００９５】
（実施例１０）
下記処方のインク組成物を常法により調製し、その後、平均孔径０．８μｍのメンブレンフィルターで濾過を行い、実施例１０のイエローインクを作製した。
〔インク組成〕
・調製例２のイエロー顔料分散液（顔料濃度１５％）              ２０．００％
・３−メチル−１，５−ペンタンジオール                        １２．５０％
・３−メチル−１，３−ブタンジオール                          １５．００％
・グリセリン                                                    ７．００％
・２，２，４−トリメチル−１，３−ペンタンジオール              ２．００％
・Ｃａｐｓｔｏｎｅ  ＦＳ−３１００（Ｄｕｐｏｎｔ社製）          １．１０％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                              ０．２０％
（アビシア社製、１，２−ベンゾイソチアゾリン−３−オン、防かび剤）      
・２−アミノ−２−エチル−１，３−プロパンジオール              ０．５０％
・１，２，３−ベンゾトリアゾール(城北化学工業製、ＢＴ−１２０)  ０．０５％
・イオン交換水                                      残量（合計：１００％）
【００９６】
（実施例１１）
下記処方のインク組成物を常法により調製し、その後、平均孔径０．８μｍのメンブレンフィルターで濾過を行い、実施例１１のイエローインクを作製した。
〔インク組成〕
・調製例２のイエロー顔料分散液（顔料濃度１５％）              ２０．００％
・１，６−ヘキサンジオール                                    ２４．５０％
・グリセリン                                                    ８．００％
・２−エチル−１，３−ヘキサンジオール                          ２．００％
・Ｃａｐｓｔｏｎｅ  ＦＳ−３１００（Ｄｕｐｏｎｔ社製）          ０．２０％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                ０．２０％
（アビシア社製、１，２−ベンゾイソチアゾリン−３−オン、防かび剤）      
・２−アミノ−２−エチル−１，３−プロパンジオール              ０．３０％
・１，２，３−ベンゾトリアゾール(城北化学工業製、ＢＴ−１２０)  ０．０５％
・イオン交換水                                      残量（合計：１００％）
【００９７】
（実施例１２）
下記処方のインク組成物を常法により調製し、その後、平均孔径０．８μｍのメンブレンフィルターで濾過を行い、実施例１２のブラックインクを作製した。
〔インク組成〕
・調製例１のブラック顔料分散液（顔料濃度２０％）              ２０．００％
・２−メチル−２，４−ペンタンジオール                        １１．５０％
・３−メチル−１，３−ブタンジオール                          １３．００％
・グリセリン                                                    ７．５０％
・２−ピロリドン                                                ２．００％
・Ｃａｐｓｔｏｎｅ  ＦＳ−３４（Ｄｕｐｏｎｔ社製）              ０．３０％
（Ｃ６Ｆ１３−ＣＨ２ＣＨ２Ｏ（ＣＨ２ＣＨ２Ｏ）ｎＨ（ｎ＝６〜１２）に相当する。）
・２，２，４−トリメチル−１，３−ペンタンジオール              ２．００％
・シリコーン消泡剤（ＫＭ−７２Ｆ、信越化学工業株式会社製）      ０．２０％
・プロキセルＬＶ                                                ０．２０％
（アビシア社製、１，２−ベンゾイソチアゾリン−３−オン、防かび剤）      
・１，２，３−ベンゾトリアゾール(城北化学工業製、ＢＴ−１２０)  ０．０５％
・イオン交換水                                      残量（合計：１００％）
【００９８】
（実施例１３）
下記処方のインク組成物を常法により調製し、その後、平均孔径０．８μｍのメンブレンフィルターで濾過を行い、実施例１３のブラックインクを作製した。
〔インク組成〕
・調製例１のブラック顔料分散液（顔料濃度２０％）                ２０．００％
・３−メチル−１，３−ブタンジオール                            ２２．５０％
・グリセリン                                                      ７．５０％
・２−ピロリドン                                                  ２．００％
・２−エチル−１，３−ヘキサンジオール                            ２．００％
・Ｃａｐｓｔｏｎｅ  ＦＳ−３１００（Ｄｕｐｏｎｔ社製）            ０．２０％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                  ０．２０％
（アビシア社製、１，２−ベンゾイソチアゾリン−３−オン、防かび剤）      
・シリコーン消泡剤(ＳＭ５５１２、東レ・ダウ・コーニング社製)      ０．１０％
・２−アミノ−２−エチル−１，３−プロパンジオール                ０．５０％
・１，２，３−ベンゾトリアゾール(城北化学工業製、ＢＴ−１２０)    ０．０５％
・イオン交換水                                        残量（合計：１００％）
【００９９】
（実施例１４）
下記処方のインク組成物を常法により調製し、その後、平均孔径０．８μｍのメンブレンフィルターで濾過を行い、実施例１４のブラックインクを作製した。
〔インク組成〕
・調製例１のブラック顔料分散液（顔料濃度２０％）                ２０．００％
・１，５−ペンタンジオール                                      ２２．５０％
・グリセリン                                                      ７．５０％
・２−ピロリドン                                                  ２．００％
・２−エチル−１，３−ヘキサンジオール                            ２．００％
・Ｃａｐｓｔｏｎｅ  ＦＳ−３１００（Ｄｕｐｏｎｔ社製）            ０．０５％
（Ｃ６Ｆ１３−ＣＨ２ＣＨ２Ｏ（ＣＨ２ＣＨ２Ｏ）ｎＨ（ｎ＝５〜３５）に相当する。）
・プロキセルＬＶ                                                  ０．２０％
（アビシア社製、１，２−ベンゾイソチアゾリン−３−オン、防かび剤）      
・２−アミノ−２−エチル−１，３−プロパンジオール                ０．５０％
・１，２，３−ベンゾトリアゾール(城北化学工業製、ＢＴ−１２０)    ０．０５％
・イオン交換水                                        残量（合計：１００％）
【０１００】
（実施例１５）
下記処方のインク組成物を常法により調製し、その後、平均孔径０．８μｍのメンブレンフィルターで濾過を行い、実施例１５のマゼンタインクを作製した。
〔インク組成〕
・調製例３のマゼンタ顔料分散液（顔料濃度１５％）                ２０．００％
・１，３−ブタンジオール                                        ２２．５０％
・グリセリン                                                      ９．００％
・２−エチル−１，３−ヘキサンジオール                            ２．００％
・Ｃａｐｓｔｏｎｅ  ＦＳ−３１００（Ｄｕｐｏｎｔ社製）            ０．３０％
（Ｃ６Ｆ１３−ＣＨ２ＣＨ２Ｏ（ＣＨ２ＣＨ２Ｏ）ｎＨ（ｎ＝５〜３５）に相当する。）
・サーフィノール１０４ＰＡ(エアープロダクツジャパン株式会社製)    ０．２０％
・プロキセルＬＶ                                                  ０．２０％
（アビシア社製、１，２−ベンゾイソチアゾリン−３−オン、防かび剤）      
・２−アミノ−２−エチル−１，３−プロパンジオール                ０．３０％
・１，２，３−ベンゾトリアゾール(城北化学工業製、ＢＴ−１２０)    ０．０５％
・イオン交換水                                        残量（合計：１００％）
【０１０１】
（実施例１６）
下記処方のインク組成物を常法により調製し、その後、平均孔径０．８μｍのメンブレンフィルターで濾過を行い、実施例１６のマゼンタインクを作製した。
〔インク組成〕
・調製例３のマゼンタ顔料分散液（顔料濃度１５％）                ２０．００％
・１，３−ブタンジオール                                        ２２．５０％
・グリセリン                                                      ９．００％
・２−エチル−１，３−ヘキサンジオール                            ２．００％
・Ｃａｐｓｔｏｎｅ  ＦＳ−３１００（Ｄｕｐｏｎｔ社製）            ０．２５％
（Ｃ６Ｆ１３−ＣＨ２ＣＨ２Ｏ（ＣＨ２ＣＨ２Ｏ）ｎＨ（ｎ＝５〜３５）に相当する。）
・サーフィノール１０４ＰＡ(エアープロダクツジャパン株式会社製)    ０．２５％
・プロキセルＬＶ                                                  ０．２０％
（アビシア社製、１，２−ベンゾイソチアゾリン−３−オン、防かび剤）      
・シリコーン消泡剤                                                ０．６０％
（ＳＭ５５７１  ＥＭＵＬＳＩＯＮ、東レ・ダウ・コーニング社製）      
・２−アミノ−２−エチル−１，３−プロパンジオール                ０．３０％
・１，２，３−ベンゾトリアゾール(城北化学工業製、ＢＴ−１２０)    ０．０５％
・イオン交換水                                        残量（合計：１００％）
【０１０２】
（実施例１７）
下記処方のインク組成物を常法により調製し、その後、平均孔径０．８μｍのメンブレンフィルターで濾過を行い、実施例１７のマゼンタインクを作製した。
〔インク組成〕
・調製例３のマゼンタ顔料分散液（顔料濃度１５％）                ２０．００％
・１，３−ブタンジオール                                        ２２．５０％
・グリセリン                                                      ９．００％
・２−エチル−１，３−ヘキサンジオール                            ２．００％
・Ｃａｐｓｔｏｎｅ  ＦＳ−３１００（Ｄｕｐｏｎｔ社製）            ０．３０％
（Ｃ６Ｆ１３−ＣＨ２ＣＨ２Ｏ（ＣＨ２ＣＨ２Ｏ）ｎＨ（ｎ＝５〜３５）に相当する。）
・サーフィノール１０４ＰＡ(エアープロダクツジャパン株式会社製)    ０．３０％
・プロキセルＬＶ                                                  ０．２０％
（アビシア社製、１，２−ベンゾイソチアゾリン−３−オン、防かび剤）      
・シリコーン消泡剤                                                ０．６０％
（ＳＭ５５７１  ＥＭＵＬＳＩＯＮ、東レ・ダウ・コーニング社製）
・２−アミノ−２−エチル−１，３−プロパンジオール                ０．３０％
・１，２，３−ベンゾトリアゾール(城北化学工業製、ＢＴ−１２０)    ０．０５％
・イオン交換水                                          残量（合計：１００％）
【０１０３】
（比較例１）
下記処方のインク組成物を常法により調製し、その後、平均孔径０．８μｍのメンブレンフィルターで濾過を行い、比較例１のシアンインクを作製した。
〔インク組成〕
・調製例４のシアン顔料分散液（顔料濃度１５％）                  ２０．００％
・３−メチル−１，３−ブタンジオール                            １０．００％
・ヘキシレングリコール                                            ４．００％
・グリセリン                                                      ８．００％
・２−エチル−１，３−ヘキサンジオール                            ２．００％
・シリコーン消泡剤（ＳＨ５５００、東レ・ダウコーニング社製）      ０．０５％  
・プロキセルＬＶ                                                  ０．２０％
（アビシア社製、１，２−ベンゾイソチアゾリン−３−オン、防かび剤）      
・２−アミノ−２−エチル−１，３−プロパンジオール                ０．５０％
・イオン交換水                                          残量（合計：１００％）
【０１０４】
（比較例２）
下記処方のインク組成物を常法により調製し、その後、平均孔径０．８μｍのメンブレンフィルターで濾過を行い、比較例２のシアンインクを作製した。
〔インク組成〕
・調製例４のシアン顔料分散液（顔料濃度１５％）                  ２０．００％
・３−メチル−１，３−ブタンジオール                            １０．００％
・ヘキシレングリコール                                            ４．００％
・グリセリン                                                      ８．００％
・２−エチル−１，３−ヘキサンジオール                            ２．００％
・マーポマーセＰＴ                                                ０．１０％
（松本油脂製薬株式会社製、ジオクチルスルホコハク酸塩）      
・プロキセルＬＶ                                                  ０．２０％
（アビシア社製、１，２−ベンゾイソチアゾリン−３−オン、防かび剤）      
・２−アミノ−２−エチル−１，３−プロパンジオール                ０．５０％
・イオン交換水                                          残量（合計：１００％）
【０１０５】
（比較例３）
下記処方のインク組成物を常法により調製し、その後、平均孔径０．８μｍのメンブレンフィルターで濾過を行い、比較例３のマゼンタインクを作製した。
〔インク組成〕
・調製例３のマゼンタ顔料分散液（顔料濃度１５％）                ２０．００％
・１，３−ブタンジオール                                        ２２．５０％
・グリセリン                                                      ９．００％
・２−エチル−１，３−ヘキサンジオール                            ２．００％
・ＥＣＴＤ−３ＮＥＸ                                              ０．０５％
（日光ケミカルズ株式会社製、アニオン系界面活性剤、ポリオキシエチレン（３）トリデシルエーテル酢酸ナトリウム）    
・２−(２’−ヒドロキシ−５’−メチルフェニル)ベンゾトリアゾール  ０．０５％
・プロキセルＬＶ                                                  ０．２０％
（アビシア社製、１，２−ベンゾイソチアゾリン−３−オン、防かび剤）      
・２−アミノ−２−エチル−１，３−プロパンジオール                ０．３０％
・イオン交換水                                          残量（合計：１００％）
【０１０６】
（比較例４）
下記処方のインク組成物を常法により調製し、その後、平均孔径０．８μｍのメンブレンフィルターで濾過を行い、比較例４のマゼンタインクを作製した。
〔インク組成〕
・調製例３のマゼンタ顔料分散液（顔料濃度１５％）                ２０．００％
・３−メチル−１，３−ブタンジオール                            １１．５０％
・エチレングリコール                                              ５．００％
・グリセリン                                                      ７．００％
・２−エチル−１，３−ヘキサンジオール                            ２．００％
・ＥＣＴＤ−３ＮＥＸ                                              ０．５０％
（日光ケミカルズ株式会社製、アニオン系界面活性剤、ポリオキシエチレン（３）トリデシルエーテル酢酸ナトリウム）
・プロキセルＬＶ                                                  ０．２０％
（アビシア社製、１，２−ベンゾイソチアゾリン−３−オン、防かび剤）
・２−アミノ−２−エチル−１，３−プロパンジオール                ０．３０％
・イオン交換水                                          残量（合計：１００％）
【０１０７】
（比較例５）
下記処方のインク組成物を常法により調製し、その後、平均孔径０．８μｍのメンブレンフィルターで濾過を行い、比較例５のマゼンタインクを作製した。
〔インク組成〕
・調製例３のマゼンタ顔料分散液（顔料濃度１５％）                ２０．００％
・１，３−ブタンジオール                                        ２２．５０％
・グリセリン                                                      ９．００％
・２−エチル−１，３−ヘキサンジオール                            ２．００％
・サーフィノール１０４ＰＡ(エアープロダクツジャパン株式会社製)    ０．０５％
・プロキセルＬＶ                                                  ０．２０％
（アビシア社製、１，２−ベンゾイソチアゾリン−３−オン、防かび剤）
・２−アミノ−２−エチル−１，３−プロパンジオール                ０．３０％
・イオン交換水                                        残量（合計：１００％）
【０１０８】
（比較例６）
下記処方のインク組成物を常法により調製し、その後、平均孔径０．８μｍのメンブレンフィルターで濾過を行い、比較例６のイエローインクを作製した。
〔インク組成〕
・調製例２のイエロー顔料分散液（顔料濃度１５％）                ２０．００％
・１，６−ヘキサンジオール                                      ２４．５０％
・グリセリン                                                      ８．００％
・２−エチル−１，３−ヘキサンジオール                            ２．００％
・ダイキン社製フッ素系界面活性剤ＤＳＮ−４０３Ｎ                  ０．５０％
・プロキセルＬＶ                                                  ０．２０％
（アビシア社製、１，２−ベンゾイソチアゾリン−３−オン、防かび剤）
・２−アミノ−２−エチル−１，３−プロパンジオール                ０．３０％
・１，２，３−ベンゾトリアゾール(城北化学工業製、ＢＴ−１２０)    ０．０５％
・イオン交換水                                        残量（合計：１００％）
【０１０９】
（比較例７）
下記処方のインク組成物を常法により調製し、その後、平均孔径０．８μｍのメンブレンフィルターで濾過を行い、比較例７のブラックインクを作製した。
〔インク組成〕
・調製例１のブラック顔料分散液（顔料濃度２０％）                ２０．００％
・１，５−ペンタンジオール                                      ２２．５０％
・グリセリン                                                      ７．５０％
・２−ピロリドン                                                  ２．００％
・２−エチル−１，３−ヘキサンジオール                            ２．００％
・下記一般式で表されるゾニールＦＳ−３００                        ０．７０％
(デュポン社製、ポリオキシエチレンパーフロロアルキルエーテル、有効成分４０％)
Ｃ８Ｆ１７−ＣＨ２ＣＨ２Ｏ（ＣＨ２ＣＨ２Ｏ）ｘＨ
（ただし、式中、ｘは１〜４０を表す。）
・プロキセルＬＶ                                                  ０．２０％
（アビシア社製、１，２−ベンゾイソチアゾリン−３−オン、防かび剤）      
・２−アミノ−２−エチル−１，３−プロパンジオール                ０．５０％
・１，２，３−ベンゾトリアゾール(城北化学工業製、ＢＴ−１２０)    ０．１５％
・イオン交換水                                          残量（合計：１００％）
【０１１０】
（比較例８）
下記処方のインク組成物を常法により調製し、その後、平均孔径０．８μｍのメンブレンフィルターで濾過を行い、比較例８のマゼンタインクを作製した。
〔インク組成〕
・調製例３のマゼンタ顔料分散液（顔料濃度１５％）                ２０．００％
・３−メチル−１，３−ブタンジオール                            １１．５０％
・エチレングリコール                                              ５．００％
・グリセリン                                                      ７．００％
・２−エチル−１，３−ヘキサンジオール                            ２．００％
・ダイキン社製フッ素系界面活性剤ＤＳＮ−４０３Ｎ                  ０．５０％
・プロキセルＬＶ                                                  ０．２０％
（アビシア社製、１，２−ベンゾイソチアゾリン−３−オン、防かび剤）
・２−アミノ−２−エチル−１，３−プロパンジオール                ０．３０％
・ＪＦ−７９                                                      ０．０５％
（城北化学工業製２−（２’−ヒドロキシ−３’−ｔｅｒｔ−ブチル−５’−メチルフェニル）−５−クロロベンゾトリアゾール）
・イオン交換水                                        残量（合計：１００％）
【０１１１】
（比較例９）
下記処方のインク組成物を常法により調製し、その後、平均孔径０．８μｍのメンブレンフィルターで濾過を行い、比較例９のマゼンタインクを作製した。
〔インク組成〕
・調製例３のマゼンタ顔料分散液（顔料濃度１５％）                ２０．００％
・１，３−ブタンジオール                                        ２２．５０％
・グリセリン                                                      ９．００％
・２−エチル−１，３−ヘキサンジオール                            ２．００％
・ゾニールＦＳ−３００                                            ０．７０％
（デュポン社製、ポリオキシエチレンパーフロロアルキルエーテル、有効成分４０％）
・プロキセルＬＶ                                                  ０．２０％
（アビシア社製、１，２−ベンゾイソチアゾリン−３−オン、防かび剤）
・２−アミノ−２−エチル−１，３−プロパンジオール                ０．３０％
・ＪＦ−８０                                                      ０．０５％
（城北化学工業製  ２−（２’−ヒドロキシ−３’，５’−ジ−ｔｅｒｔ−アミルフェニル）ベンゾトリアゾール）
・イオン交換水                                        残量（合計：１００％）
実施例及び比較例のインクの組成を表１に示す。
【０１１２】
【表１】
2015151406.tif 000002
【０１１３】
次に、作製した各インクジェット記録用インクについて、以下のようにして、諸特性を評価した。結果を表１に示した。
【０１１４】
＜ビーディング評価＞
インクジェットプリンター（ＩＰＳＩＯ  ＧＸｅ３３００、株式会社リコー製）を用い、リコービジネスコートグロス１００（株式会社リコー製）上に印字を行い、印刷パターンは、ブラック、イエロー、マゼンタ、シアンの各インクジェット記録用インクを１００％ｄｕｔｙで印字した。
印字乾燥後、各色において、ビーディングのランクを目視で確認し、下記基準でビーディングの評価を行った。
〔評価基準〕
ＡＡ：印字面にムラがなく、ベタ部が均一である
Ａ：多少のムラはあるが、あまり目立たない
Ｂ：ベタ部での細かなムラが確認できる
Ｃ：ベタ部で大きなムラが見られる
【０１１５】
＜文字かすれ＞
印字乾燥後、各色において、細線かすれのランクを目視で確認し、下記基準で細線かすれの評価を行った。
〔評価基準〕
ＡＡ：文字のエッジがシャープで、ベタ部が均一である
Ａ：部分的なかすれはあるが、あまり目立たない
Ｂ：文字のエッジでの細かなかすれが確認できる
Ｃ：文字部であきらかなかすれが見られる
【０１１６】
＜画像濃度＞
インクジェットプリンター（ＩＰＳＩＯ  ＧＸｅ３３００、株式会社リコー製）を用い、マイペーパー（株式会社リコー製）上に印字を行い、印刷パターンは、ブラック、イエロー、マゼンタ、シアンの各インクジェット記録用インクを１００％ｄｕｔｙで印字した。
印字条件は３６０ｄｐｉ、ワンパス印字とした。
印字乾燥後、ブラック、イエロー、マゼンタ、シアンの各単色ベタ画像部において、反射型カラー分光測定濃度計（Ｘ−Ｒｉｔｅ社製）により測定し、下記の基準で判定した。
〔評価基準〕
◎：Ｂｌａｃｋ        １．２５以上
Ｙｅｌｌｏｗ        ０．８５以上
Ｍａｇｅｎｔａ      １．０５以上、又は
Ｃｙａｎ            １．０５以上
○：Ｂｌａｃｋ          １．２以上１．２５未満
Ｙｅｌｌｏｗ        ０．８以上０．８５未満
Ｍａｇｅｎｔａ      １．０以上１．０５未満、又は
Ｃｙａｎ            １．０以上１．０５未満
△：Ｂｌａｃｋ          １．１５以上１．２未満
Ｙｅｌｌｏｗ        ０．７５以上０．８未満
Ｍａｇｅｎｔａ      ０．９５以上１．０未満、又は
Ｃｙａｎ            ０．９５以上１．０未満
×：Ｂｌａｃｋ          １．１５未満
Ｙｅｌｌｏｗ        ０．７５未満
Ｍａｇｅｎｔａ      ０．９５未満、又は
Ｃｙａｎ            ０．９５未満
【０１１７】
＜保存安定性の評価＞
ＲＥ−５５０Ｌ（東機産業株式会社製、コーン１°３’×Ｒ２４）を用いて、保存前の粘度（２５℃）と、密封した容器中で、７０℃にて１４日間保存した後に測定した保存後の粘度［ｍＰａ・ｓ］（２５℃）とから、保存安定度を下記式に従って求め、以下の基準に基づいて評価した。
保存安定度（％）が±８％以下であれば許容範囲内である。
保存安定度（％）＝（保存後の粘度―保存前の粘度）/保存前の粘度×１００
【０１１８】
【表２】
2015151406.tif 000003
【０１１９】
表１の結果から、実施例１〜１７は、比較例１〜９に比べて、彩度が上昇し、ビーディングが良好になり、狙い通りの画像濃度が得られることがわかった。
また、ベンゾトリアゾールの添加により、文字部のかすれが改善された良好な画像が得られた。
【０１２０】
本発明の態様を記載すると、例えば、以下のとおりである。
＜１＞  水、水溶性有機溶剤、着色剤、下記一般式（１）で表される化合物、及び、１，２，３−ベンゾトリアゾールを含有することを特徴とするインクジェット記録用インクである。
Ｃ６Ｆ１３−ＣＨ２ＣＨ２Ｏ（ＣＨ２ＣＨ２Ｏ）ｎＨ          一般式（１）
ただし、前記一般式（１）中、ｎは５〜３５の自然数である。
＜２＞  前記インクジェット記録用インクにおける一般式（１）で表される化合物の含有量が、０．０３質量％〜２．０質量％である前記＜１＞に記載のインクジェット記録用インクである。
＜３＞  前記インクジェット記録用インクにおける１，２，３−ベンゾトリアゾールの含有量が０．０１質量％〜０．１０質量％であることを特徴とする前記＜１＞または＜２＞に記載のインクジェット記録用インクである。
＜４＞  前記＜１＞〜＜３＞のいずれかに記載のインクジェット記録用インクを容器中に収容したことを特徴とするインクカートリッジである。
＜５＞  前記＜１＞〜＜３＞のいずれかに記載のインクジェット記録用インクに刺激を印加し、該記録用インクを飛翔させて画像を記録するインク飛翔工程を少なくとも含むことを特徴とするインクジェット記録方法である。
＜６＞  前記＜１＞〜＜３＞のいずれかに記載のインクジェット記録用インクに刺激を印加し、該記録用インクを飛翔させて画像を記録するインク飛翔手段を少なくとも有することを特徴とするインクジェット記録装置である。
【符号の説明】
【０１２１】
１０１  装置本体
１０２  給紙トレイ
１０３  排紙トレイ
１０４  インクカートリッジ装填部
１１１  上カバー
１１２  前カバーの前面
１１５  前カバー
１３１  ガイドロッド
１３２  ステー
１３３  キャリッジ
１３４  記録ヘッド
１３５  サブタンク
１４０  用紙積載部
１４２  用紙
１４３  給紙コロ
１４４  分離パッド
１４５  ガイド
１５１  搬送ベルト
１５２  カウンタローラ
１５３  搬送ガイド
１５４  押さえ部材
１５５  先端加圧コロ
１５６  帯電ローラ
１５７  搬送ローラ
１５８  テンションローラ
１６１  ガイド部材
１７１  分離爪
１７２  排紙ローラ
１７３  排紙コロ
１８１  両面給紙ユニット
１８２  手差し給紙部
２００  インクカートリッジ
２４１  インク袋
２４２  インク注入口
２４３  インク排出口
【先行技術文献】
【特許文献】
【０１２２】
【特許文献１】特開２０１０−２７５３７７号公報
【特許文献２】特開２０１２−２０７２０２号公報
【特許文献３】特開２０１０−２７５３７７号公報
【特許文献４】特開２００２−１２１４５０号公報
【図１】
2015151406.tif 000004
【図２】
2015151406.tif 000005
【図３】
2015151406.tif 000006
【図４】
2015151406.tif 000007